(57)【要約】【課題】  従来のソーラーヒートポンプシステムでは、大容量の貯湯タンクが必要となるため、設置スペース、施工上の課題があった。【解決手段】  蓄熱材の貯蔵容器Ａ８と、蓄熱材を分解または分離する加熱手段Ａと、蓄熱時には、分解または分離された蓄熱材のうち少なくとも１つを冷却する冷却手段６と、冷却手段６で冷却された蓄熱材を貯蔵する貯蔵容器Ｂ７と、放熱時には、蓄熱状態の蓄熱材を加熱する加熱手段Ｂ６と、蓄熱状態の蓄熱材を再結合して発熱させる発熱手段２と、ヒートポンプサイクルと、太陽電池パネル９と、太陽電池パネル９から集熱する集熱手段１０と、集熱手段１０及び加熱手段Ｂ６と熱交換可能であり、熱媒体が流通する熱媒体流路１１とを備え、加熱手段Ａがヒートポンプサイクルの放熱器２である、化学蓄熱式ソーラーヒートポンプシステムである。【選択図】  図１
2006046859.tif 000002
【特許請求の範囲】
【請求項１】
蓄熱材の第１の貯蔵容器と、
前記蓄熱材を加熱して分解または分離する第１の加熱手段と、
蓄熱時には、前記分解または分離された蓄熱材のうち少なくとも１つを冷却する冷却手段と、
前記冷却手段で冷却された蓄熱材を貯蔵して蓄熱状態とする第２の貯蔵容器と、
放熱時には、前記蓄熱状態の蓄熱材を加熱する第２の加熱手段と、
前記蓄熱状態の蓄熱材を再結合して発熱させる発熱手段と、
放熱器、圧縮機、蒸発器、及び膨張弁を有するヒートポンプサイクルと、
太陽電池パネルと、
前記太陽電池パネルから集熱する集熱手段と、
前記集熱手段及び前記第２の加熱手段と熱交換可能であり、熱媒体が流通する熱媒体流路とを備え、
前記第１の加熱手段が前記ヒートポンプサイクルの放熱器である、化学蓄熱式ソーラーヒートポンプシステム。
【請求項２】
前記熱媒体は、潜熱材料を含む流体である、請求項１記載の化学蓄熱式ソーラーヒートポンプシステム。
【請求項３】
前記第１の加熱手段は、前記発熱手段と兼ねられた第１の熱交換手段であり、
前記第１の貯蔵容器及び前記第１の熱交換手段は一体化されている、請求項１記載の化学蓄熱式ソーラーヒートポンプシステム。
【請求項４】
前記第２の加熱手段は、前記冷却手段と兼ねられた第２の熱交換手段であり、
前記第２の貯蔵容器及び前記第２の熱交換手段は一体化されている、請求項１記載の化学蓄熱式ソーラーヒートポンプシステム。
【請求項５】
前記熱媒体流路は、
前記集熱手段及び前記第２の熱交換手段を結ぶ流路と、
前記ヒートポンプサイクルの蒸発器と熱交換可能であり、前記熱媒体流路の前記集熱手段と前記第２の熱交換手段の間で、分岐し、再び合流する蒸発器側流路とを有し、
前記合流する部位に設けられた三方弁と、
蓄熱時には、前記熱媒体が前記蒸発器側流路を通り、放熱時には、前記熱媒体が前記蒸発器側流路を通らないように前記三方弁を制御する制御手段とを更に備えた、請求項４記載の化学蓄熱式ソーラーヒートポンプシステム。
【請求項６】
前記三方弁を第１の三方弁とし、
前記熱媒体流路は、
前記集熱手段をバイパスする、一端が前記流路と合流し、他端が前記蒸発器側流路と合流する集熱手段バイパス流路と、
前記集熱手段バイパス流路の前記他端と前記蒸発器側流路との合流する部位に設けられた第２の三方弁とを備え、
前記制御手段は、放熱時には、前記集熱手段バイパス流路の他端側において、前記流路又は前記蒸発器側流路と前期集熱手段バイパス流路の間を前記熱媒体が流れないように前記第２の三方弁を制御する、請求項５記載の化学蓄熱式ソーラーヒートポンプシステム。
【請求項７】
前記蒸発器を第１の蒸発器として、
前記ヒートポンプサイクルは
前記圧縮機と前記膨張弁の間に第２の蒸発器を更に有し、
前記熱媒体流路は、
前記集熱手段と前記第２の蒸発器と熱交換可能に設置された第１の流路と、
前記熱交換手段Ｂと前記蒸発器と熱交換可能に設置された第２の流路と、
前記熱媒体の流通方向を基準として、前記第１の流路の、前記集熱手段の上流であって前記第２の蒸発器の下流部分と、前記第２の流路の、前記第１の蒸発器の上流であって前記熱交換手段Ｂの下流部分とを結ぶ第３の流路とを更に有し、
前記第１の流路の、前記集熱手段の下流であって前記第２の蒸発器の上流部分と、前記第２の流路の、前記第１の蒸発器の下流であって前記熱交換手段の上流部分に設けられた四方弁と、
前記第２の流路と前記第３の流路の合流する部位に設けられた三方弁と、
蓄熱時には、前記第１の流路と前記第２の流路は閉塞され、放熱時には、前記熱媒体が、前記集熱手段、前記四方弁、前記熱交換手段Ｂ、前記三方弁、前記第３の流路、前記集熱手段を順に経由するように前記四方弁及び前記三方弁を制御する制御手段とを更に備えた、請求項４記載の化学蓄熱式ソーラーヒートポンプシステム。
【請求項８】
前記熱媒体流路は、
前記第２の加熱手段をバイパスし、前記発熱手段と熱交換可能に設置された発熱手段側流路を更に有する、請求項１記載の化学蓄熱式ソーラーヒートポンプシステム。
【請求項９】
前記発熱手段と熱交換可能に設置された、被加熱流体が流れる被加熱流体流路と、
前記被加熱流体の流通方向を基準として、前記発熱手段の下流側で前記熱媒体から前記被加熱流体流路への伝熱を行う被加熱流体加熱手段とを更に備えた、請求項１記載の化学蓄熱式ソーラーヒートポンプシステム。
【請求項１０】
蓄熱は、電気料金が安価な時間帯の電力を用いて、前記ヒートポンプサイクルを動作させ前記第１の貯蔵容器を加熱するとともに、前記熱媒体を流動させ、前記第２の貯蔵容器から前記熱媒体に伝熱されることにより行われる、請求項１記載の化学蓄熱式ソーラーヒートポンプシステム。
【請求項１１】
請求項５記載の化学蓄熱式ソーラーヒートポンプシステムの、
蓄熱時には、前記熱媒体が前記蒸発器側熱媒体流路を通り、放熱時には、前記熱媒体が前記蒸発器側熱媒体流路を通らないように前記三方弁を制御する制御手段をコンピュータにより実行させるためのプログラム。
【請求項１２】
請求項６記載の化学蓄熱式ソーラーヒートポンプシステムの、放熱時には、前記集熱手段バイパス流路の他端側において、前記流路又は前記蒸発器側流路と前記集熱手段バイパス流路の間を前記熱媒体が流れないように前記第２の三方弁を制御する制御手段をコンピュータにより実行させるためのプログラム。
【請求項１３】
請求項７記載の化学蓄熱式ソーラーヒートポンプシステムの、蓄熱時には、前記第１の流路と前記第２の流路は閉塞され、放熱時には、前記熱媒体が、前記集熱手段、前記四方弁、前記熱交換手段Ｂ、前記三方弁、前記第３の流路、前記集熱手段を順に経由するように前記四方弁及び前記三方弁を制御する制御手段をコンピュータにより実行させるためのプログラム。
【請求項１４】
請求項１１〜１３記載のいずれかのプログラムを担持した記録媒体であって、コンピュータにより処理可能な記録媒体。
【発明の詳細な説明】
【技術分野】
【０００１】
本発明は、蓄熱材を加熱して分解、または分離して蓄熱する小型の蓄熱部を備えたソーラーシステムに関する。
【背景技術】
【０００２】
従来の蓄熱部を備えたヒートポンプシステム（例えば、特許文献１参照）は、圧縮機から吐出された高温高圧の冷媒からの熱出力を利用して、貯湯タンク内のお湯を循環させて昇温するサイクルを繰り返しながら、貯湯タンク内に多量のお湯を貯めるものである。
【０００３】
高密度に熱を貯蔵する方式に化学蓄熱方式がある。化学蓄熱方式は、図９に示すように、蓄熱材ＡＢに対して熱を供給し、蓄熱材の分離または分解を生じさせ、ＡおよびＢの蓄熱状態の蓄熱材とし、その一方のＢを気化などの操作によってＡと分離させることで蓄熱状態とするものである。
【０００４】
この原理を応用した蓄熱式ヒートポンプシステム（例えば、特許文献２参照）は、蓄熱式ヒートポンプと圧縮式ヒートポンプを組み合わせて、冷媒からの熱出力を反応熱として利用して、この反応により生成された物質を貯蔵することにより、化学的に蓄熱を行うものである。
【０００５】
一方、太陽電池パネルは一般的に温度が上昇するとともに発電効率が低下することが知られている。従来から、太陽電池を冷却して発電効率を向上させるとともに、その冷却（集熱）された太陽熱を利用して暖房や給湯を行うシステムが提案されている。
【０００６】
この種の太陽光熱を利用する冷暖房給湯機では、太陽光熱集熱器の表面に太陽電池パネルを配設し、この集熱器で集めた熱を温水、または不凍液等の作動流体を用いて熱搬送する顕熱熱搬送形態を取っており、この搬送された熱を一旦貯湯タンクに蓄熱し、給湯または暖房の熱源として利用する構造が提示され、一部実用化されている（例えば、特許文献３参照。）。
【０００７】
また、太陽熱を上記と同様に水により輸送して貯湯タンクに貯蔵し、それを熱源として利用したヒートポンプで給湯や暖房を行う構成も示されている（例えば、特許文献４参照。）。
【特許文献１】特開平１１−１９３９５８号公報
【特許文献２】特開平５−２８８４２５号公報
【特許文献３】特開平１０−２８１５６２号公報（例えば、第１、８図）
【特許文献４】特開平７−２３４０２０号公報（例えば、第１図）
【発明の開示】
【発明が解決しようとする課題】
【０００８】
上記従来の蓄熱部を有する太陽熱を利用したヒートポンプシステムでは、大容量の貯湯タンクが必要となる。このため、設置スペース、貯湯タンクの重量、設置部の耐荷重等の設置上、施工上の課題があった。
【０００９】
上記従来の課題を考慮して、本発明の目的は、設置スペースがより小さく、又は設置部の耐荷重がより小さくても設置、施工の可能な化学蓄熱式ソーラーヒートポンプシステムを提供することである。
【課題を解決するための手段】
【００１０】
上記目的を達成するために、第１の本発明は、
蓄熱材の第１の貯蔵容器と、
前記蓄熱材を加熱して分解または分離する第１の加熱手段と、
蓄熱時には、前記分解または分離された蓄熱材のうち少なくとも１つを冷却する冷却手段と、
前記冷却手段で冷却された蓄熱材を貯蔵して蓄熱状態とする第２の貯蔵容器と、
放熱時には、前記蓄熱状態の蓄熱材を加熱する第２の加熱手段と、
前記蓄熱状態の蓄熱材を再結合して発熱させる発熱手段と、
放熱器、圧縮機、蒸発器、及び膨張弁を有するヒートポンプサイクルと、
太陽電池パネルと、
前記太陽電池パネルから集熱する集熱手段と、
前記集熱手段及び前記第２の加熱手段と熱交換可能であり、熱媒体が流通する熱媒体流路とを備え、
前記第１の加熱手段が前記ヒートポンプサイクルの放熱器である、化学蓄熱式ソーラーヒートポンプシステムである。
【００１１】
又、第２の本発明は、
前記熱媒体は、潜熱材料を含む流体である、第１の本発明の化学蓄熱式ソーラーヒートポンプシステムである。
【００１２】
又、第３の本発明は、
前記第１の加熱手段は、前記発熱手段と兼ねられた第１の熱交換手段であり、
前記第１の貯蔵容器及び前記第１の熱交換手段は一体化されている、第１の本発明の化学蓄熱式ソーラーヒートポンプシステムである。
【００１３】
又、第４の本発明は、
前記第２の加熱手段は、前記冷却手段と兼ねられた第２の熱交換手段であり、
前記第２の貯蔵容器及び前記第２の熱交換手段は一体化されている、第１の本発明の化学蓄熱式ソーラーヒートポンプシステムである。
【００１４】
又、第５の本発明は、
前記熱媒体流路は、
前記集熱手段及び前記第２の熱交換手段を結ぶ流路と、
前記ヒートポンプサイクルの蒸発器と熱交換可能であり、前記熱媒体流路の前記集熱手段と前記第２の熱交換手段の間で、分岐し、再び合流する蒸発器側流路とを有し、
前記合流する部位に設けられた三方弁と、
蓄熱時には、前記熱媒体が前記蒸発器側流路を通り、放熱時には、前記熱媒体が前記蒸発器側流路を通らないように前記三方弁を制御する制御手段とを更に備えた、第４の本発明の化学蓄熱式ソーラーヒートポンプシステムである。
【００１５】
又、第６の本発明は、
前記三方弁を第１の三方弁とし、
前記熱媒体流路は、
前記集熱手段をバイパスする、一端が前記流路と合流し、他端が前記蒸発器側流路と合流する集熱手段バイパス流路と、
前記集熱手段バイパス流路の前記他端と前記蒸発器側流路との合流する部位に設けられた第２の三方弁とを備え、
前記制御手段は、放熱時には、前記集熱手段バイパス流路の他端側において、前記流路又は前記蒸発器側流路と前期集熱手段バイパス流路の間を前記熱媒体が流れないように前記第２の三方弁を制御する、第５の本発明の化学蓄熱式ソーラーヒートポンプシステムである。
【００１６】
又、第７の本発明は、
前記蒸発器を第１の蒸発器として、
前記ヒートポンプサイクルは
前記圧縮機と前記膨張弁の間に第２の蒸発器を更に有し、
前記熱媒体流路は、
前記集熱手段と前記第２の蒸発器と熱交換可能に設置された第１の流路と、
前記熱交換手段Ｂと前記蒸発器と熱交換可能に設置された第２の流路と、
前記熱媒体の流通方向を基準として、前記第１の流路の、前記集熱手段の上流であって前記第２の蒸発器の下流部分と、前記第２の流路の、前記第１の蒸発器の上流であって前記熱交換手段Ｂの下流部分とを結ぶ第３の流路とを更に有し、
前記第１の流路の、前記集熱手段の下流であって前記第２の蒸発器の上流部分と、前記第２の流路の、前記第１の蒸発器の下流であって前記熱交換手段の上流部分に設けられた四方弁と、
前記第２の流路と前記第３の流路の合流する部位に設けられた三方弁と、
蓄熱時には、前記第１の流路と前記第２の流路は閉塞され、放熱時には、前記熱媒体が、前記集熱手段、前記四方弁、前記熱交換手段Ｂ、前記三方弁、前記第３の流路、前記集熱手段を順に経由するように前記四方弁及び前記三方弁を制御する制御手段とを更に備えた、第４の本発明の化学蓄熱式ソーラーヒートポンプシステム。
【００１７】
又、第８の本発明は、
前記熱媒体流路は、
前記第２の加熱手段をバイパスし、前記発熱手段と熱交換可能に設置された発熱手段側流路を更に有する、第１の本発明の化学蓄熱式ソーラーヒートポンプシステムである。
【００１８】
又、第９の本発明は、
前記発熱手段と熱交換可能に設置された、被加熱流体が流れる被加熱流体流路と、
前記被加熱流体の流通方向を基準として、前記発熱手段の下流側で前記熱媒体から前記被加熱流体流路への伝熱を行う被加熱流体加熱手段とを更に備えた、第１の本発明の化学蓄熱式ソーラーヒートポンプシステムである。
【００１９】
又、第１０の本発明は、
蓄熱は、電気料金が安価な時間帯の電力を用いて、前記ヒートポンプサイクルを動作させ前記第１の貯蔵容器を加熱するとともに、前記熱媒体を流動させ、前記第２の貯蔵容器から前記熱媒体に伝熱されることにより行われる、第１の本発明の化学蓄熱式ソーラーヒートポンプシステムである。
【００２０】
又、第１１の本発明は、
第５の本発明の化学蓄熱式ソーラーヒートポンプシステムの、
蓄熱時には、前記熱媒体が前記蒸発器側熱媒体流路を通り、放熱時には、前記熱媒体が前記蒸発器側熱媒体流路を通らないように前記三方弁を制御する制御手段をコンピュータにより実行させるためのプログラムである。
【００２１】
又、第１２の本発明は、
第６の本発明の化学蓄熱式ソーラーヒートポンプシステムの、放熱時には、前記集熱手段バイパス流路の他端側において、前記流路又は前記蒸発器側流路と前記集熱手段バイパス流路の間を前記熱媒体が流れないように前記第２の三方弁を制御する制御手段をコンピュータにより実行させるためのプログラムである。
【００２２】
又、第１３の本発明は、
第７の本発明の化学蓄熱式ソーラーヒートポンプシステムの、蓄熱時には、前記第１の流路と前記第２の流路は閉塞され、放熱時には、前記熱媒体が、前記集熱手段、前記四方弁、前記熱交換手段Ｂ、前記三方弁、前記第３の流路、前記集熱手段を順に経由するように前記四方弁及び前記三方弁を制御する制御手段をコンピュータにより実行させるためのプログラムである。
【００２３】
又、第１４の本発明は、
第１１〜１３の本発明のいずれかのプログラムを担持した記録媒体であって、コンピュータにより処理可能な記録媒体である。
【発明の効果】
【００２４】
本発明によれば、設置スペースがより小さく、又は設置部の耐荷重がより小さくても設置、施工の可能な化学蓄熱式ソーラーヒートポンプシステムを提供することが出来る。
【発明を実施するための最良の形態】
【００２５】
以下、本発明の実施の形態について図面を参照して説明する。
【００２６】
（実施の形態１）
図１は、本実施の形態１における化学蓄熱式ソーラーヒートポンプシステムの概略構成及び蓄熱時の運転状態を表す図である。又、図２は、本実施の形態１における化学蓄熱式ソーラーヒートポンプシステムの放熱時の運転状態を表す図である。尚、図に記載されている矢印は、冷媒、蓄熱材、熱媒体の移動方向を示している。
【００２７】
図１に示す様に、本実施の形態１における化学蓄熱式ソーラーヒートポンプシステムは、圧縮機１、加熱手段として作用する凝縮器２、膨張弁３、冷媒の蒸発が行われる蒸発器４、及びこれらを順に結ぶ冷媒流路５から構成されているヒートポンプを備えている。なお、本実施の形態ではヒートポンプの冷媒流路を流れる冷媒としてＣＯ２を用いている。
【００２８】
また、凝縮器２に接続され、蓄熱材の充填された蓄熱材容器８と、蓄熱状態の蓄熱材が貯蔵される蓄熱材容器７と、蓄熱材容器７と蓄熱材容器８を繋ぐ連結管１７が設置されている。また、蓄熱材容器８及び凝縮器２と接続された被加熱流体流路１２が設置されている。この被加熱流体流路１２内には、市水が流通するようになっており、蓄熱材容器８内の蓄熱材の発熱によって加熱されるようになっている。尚、凝縮器２と蓄熱材容器７は一体化しているため、冷媒流路５内の冷媒、蓄熱材容器８内の蓄熱材、及び被加熱流体流路１２内の市水は、互いに熱交換可能となっている。
【００２９】
また、主に強化ガラスと多結晶系Ｓｉで構成された太陽電池パネル９が設置されており、、この太陽電池パネル９の日射面の反対側に略平行に、本発明の集熱手段の一例である集熱部１０が一体化して設けられている。この集熱部１０の内部から蓄熱材容器７を通り、再び集熱部１０へと循環する流路１１上にポンプ１４が設置され、又、流路１１内には潜熱材料を含む熱媒体が流通している。また、流路１１内の熱媒体と蓄熱材容器７内の蓄熱材とを熱交換可能とする熱交換器６が設置されており、この熱交換器６と蓄熱材容器７は一体化されている。この熱媒体としては、パラフィンを内包したマイクロカプセルを水に分散させた熱媒体を用いており、熱媒体の顕熱分、あるいは潜熱材料の相変化熱によって太陽電池パネル９は冷却される。
【００３０】
また、蓄熱時の熱媒体の流路方向（詳しくは後述する）を基準として、蓄熱材容器７の上流側であって集熱部１０と蓄熱材容器７の間内で、流路１１から分岐し、蒸発器４を通り再び流路１１に合流する蒸発器側流路１５が設置されている。この蒸発器側流路１５と流路１１の合流部分には、バルブ１６が設置されている。さらに、圧縮機１、膨張弁３、ポンプ１４、及びバルブ１６の切り替えを制御する制御手段４０が設置されている。
【００３１】
尚、本発明の第１の貯蔵容器の一例は、本実施の形態１では蓄熱材容器８に相当し、本発明の第１の加熱手段の一例は凝縮器２に相当する。又、本発明の冷却手段の一例は、熱交換器６に相当する。又、本発明の第２の貯蔵手段の一例は、蓄熱材容器７に相当し、本発明の第２の加熱手段の一例は熱交換器６に相当する。又、本発明の発熱手段の一例は、凝縮器２に相当し、本発明の放熱器の一例は、凝縮器２に相当する。
【００３２】
又、本発明の第１の熱交換手段の一例は、本実施の形態１では凝縮器２に相当する。又、本発明の第２の熱交換手段の一例は、熱交換器６に相当する。
【００３３】
又、本発明の熱媒体流路の一例は、本実施の形態１では流路１１及び蒸発器側流路１５に相当する。又、本発明の蒸発器側流路の一例は、本実施の形態１では蒸発器側流路１５に相当し、本発明の流路の一例は、流路１１に相当し、第５の本発明の三方弁は、本実施の形態１ではバルブ１６に相当する。
【００３４】
上記構成の本実施の形態１の化学蓄熱式ソーラーヒートポンプシステムの動作について以下に説明する。
【００３５】
（蓄熱時の動作）
始めに、蓄熱時の動作について図１を用いて説明する。
【００３６】
圧縮機１が作動すると蒸発器４で熱が汲み上げられ、圧縮機１によって昇圧され、昇温された冷媒は、凝縮器２で放熱する。凝縮器２において冷媒は約１１０℃程度になっており、凝縮器２と結合している蓄熱材容器８が加熱される。
【００３７】
蓄熱材容器８内には、本発明の蓄熱材の一例である水と水に対する吸着剤のペアが結合して設けられており、凝縮器２からの熱を受けて水が吸着剤から分離する。そして連結管１７を経由して水は蓄熱材容器７に輸送される。
【００３８】
ここで用いられる吸着剤には、例えば金属塩化物などの吸湿材を適量担持したシリカゲルなどを用いることができる。この場合、水の蒸発による、水とシリカゲルからの水の分離（蓄熱反応）は０．００１ＭＰａ、約５０℃の条件下で行われる。なお、本発明の蓄熱材の一例は、シリカゲルと水の複合体に相当し、蓄熱状態の蓄熱材は、水、およびシリカゲルに相当する。
【００３９】
一方、蓄熱材容器７では、蓄熱材容器８における蓄熱反応によって生じた水蒸気が凝縮され貯蔵される。ここでの水蒸気の凝縮熱は、熱交換器６によって流路１１内を流通する熱媒体に受熱される。ここで、熱媒体は、潜熱材料を含む流体であり、その一例としては、パラフィンなどの潜熱蓄熱材を内包したマイクロカプセルを水で分散させたものである。
【００４０】
ここで、ヒートポンプサイクルへの入熱は、熱媒体が流路１１を図１中の矢印方向に流れ、蒸発器４で熱交換することによって行われる。
【００４１】
蓄熱状態では、熱媒体は、制御手段４０によるバルブ１６の切り替えによって、蒸発器側流路１５を流れる。すなわち、熱媒体は、集熱部１０、ポンプ１４、蒸発器４、バルブ１６、熱交換器６を順に通って集熱部１０へと戻るように循環している。
【００４２】
集熱部１０で吸収された太陽電池パネル９の熱量は、熱媒体の顕熱および潜熱で蓄熱されている。そのため、蒸発器４では、大気から熱を汲み上げるよりも高効率に凝縮器２で熱を発生させることができ、この効果は大気と熱媒体の温度差がつく、深夜にヒートポンプが作動する時ほど顕著である。
【００４３】
また、蓄熱状態の蓄熱材を貯蔵する際に蓄熱材容器７で生成した凝縮熱は、蓄熱材容器７を経由している熱媒体によって熱回収される。すなわち、蒸発器４に熱を供給して冷却された熱媒体は、蒸発器側流路１５を経由して、流路１１へと流入し、再び熱交換器６で熱を吸収するサイクルを行うようになっている。
【００４４】
以上の操作を繰り返すことによって、蓄熱材容器８内の蓄熱材は脱水状態が進行し、蓄熱状態の蓄熱材容器７内に水が凝縮貯留することによって蓄熱状態となる。
【００４５】
なお、本実施の形態１では、熱交換器６によって蓄熱材容器７で発生する凝縮熱を回収しているが、この操作は太陽電池を冷却するために発生した熱量が余剰の場合は行う必要はなく、集熱部１０で一部放熱しても良い。また部分的に熱回収を行うように設計しても構わず、凝縮熱の一部は未利用の太陽電池パネル９の冷却熱で補足される。
【００４６】
また、本実施の形態１では、集熱部１０には内部に位置する潜熱材料が日中の日射による熱を貯蔵しているため、例えば深夜電力時間帯料金体系を用いても、その熱を蒸発器４で汲み上げることが可能となる。そのため、蓄熱時の動作は、電力料金が安価である時間帯に行われることが経済性の観点から望ましい。
【００４７】
また、必要に応じて、大気−冷媒熱交換用の大気熱交換器（図示せず）を冷媒流路５における蒸発器４の上流側に設け、大気からの熱入力を行うことも可能である。
【００４８】
（放熱時の動作）
次に、放熱時の動作について図２を用いて説明する。
【００４９】
図２の矢印に示されているように、制御手段４０により、蒸発器側流路１５を熱媒体が流通しないようにバルブ１６が切り替えられており、熱媒体が蓄熱時の逆向きに流路１１内を流通するようにポンプ１４が動作される。すなわち、熱媒体は、集熱部１０、熱交換器６、ポンプ１４を順に通って集熱部１０へと戻るように循環している。
【００５０】
熱交換器６を介して、熱媒体から蓄熱材容器７に熱が伝えられることにより、貯蔵されていた水が、連結管１７を経由して、蓄熱材容器８に水（水蒸気）を輸送される。そして、蓄熱材容器８内の蓄熱材に水が吸着し、その吸着熱によって発熱が行われる。その際、被加熱流体流路１２が蓄熱材容器８内で蓄熱材と熱交換を行うように設けられているため、被加熱流体流路１２内を流通する水が熱交換され加熱される。
【００５１】
なお、本実施の形態１では、熱出力口１３において給湯などの熱需要が発生すると、流路１１を熱媒体が蓄熱時の場合と逆方向に流通し、蓄熱状態の蓄熱材容器７を加熱するようになっている。ここで、本実施の形態１では流路１１が蓄熱状態の蓄熱材容器７とその内部で熱交換するように貫通させて設けているが、外部で熱交換するように蓄熱状態の蓄熱材容器７外部を巻回するように設けても構わない。
【００５２】
なお、流路１１には、スペースに応じて太陽熱を吸収した熱媒体の貯留部を別途設けても構わない。
【００５３】
また、本実施の形態１では、集熱部１０に潜熱材料の流体を設けており、それを流路１１で循環させる構成をとっているが、集熱部１０に固定床の潜熱材料を設けることも可能である。その場合は、別途流路１１に水や不凍液などの別の熱媒体を流通させるとともに、固定床の潜熱材料との熱交換手段も必要である。そのため、潜熱材料を含む流体を熱媒体として利用する方が、より小型で薄型に集熱部を構成することができ、より好ましい。
【００５４】
また、蓄熱材容器８は、内部に充填されているシリカゲルなどの蓄熱材による熱容量があるため、蓄熱状態の蓄熱材容器７から水蒸気が供給され、水が吸着した場合でも、初期段階は顕熱容量が存在することにより、所定温度まで十分に上昇させることが困難である。そのため、本実施の形態では蓄熱材容器８の外周には断熱材を設け、放熱を抑制することが好ましい。
【００５５】
また、図３に示すように、流路１１をバルブ２１によって分岐して、熱交換器６を経由しない、本発明の発熱手段側流路の一例であるバイパス２２を形成し、このバイパス２２と蓄熱材容器８とを熱交換可能な構成する。このようにすることで、放熱時に蓄熱材容器７と蓄熱材容器８の両方に、集熱部１０からの熱を供給することができる。そして、熱出力口１３からの需要がある場合（発熱反応の際）に、蓄熱材容器８を加温することが可能となり、蓄熱材容器の顕熱分による時間的なロスを低減できるため、速やかに被加熱流体流路１２内の水を加熱することができる。
【００５６】
又、大気温度、冷媒温度、給湯温度によって、バルブ２１を制御することにより、バイパス２２へと流入する熱媒体の量の制御を行うことも可能である。
【００５７】
また、図４に示す化学蓄熱式ソーラーヒートポンプシステムは、流路１１の集熱部１０と蓄熱材容器７の間に設けられたバルブ２３と、バルブ２３から分岐しバルブ１６とポンプ１４の間で流路１１に合流するバイパス２４とを更に備えている。又、このバイパス２４と被加熱流体流路１２との間を熱交換可能とする、本発明の被加熱流体加熱手段の一例である熱交換器２５が設置されている。このような構成とすることにより、放熱時にあらかじめ被加熱流体流路１２内の水に熱供給しておき、蓄熱材容器８で供給する熱量を減らすことが可能となる。
【００５８】
更に、このようにすると、熱出力口１３からの需要がある場合に速やかに被加熱流体流路１２内の水を加熱することができるとともに、蓄熱材容器８、蓄熱状態の蓄熱材容器７および関連材料のコンパクト化を行うことが可能である。
【００５９】
なお、蓄熱流体を循環させるための動力を削減するために、従来から用いられているような、界面活性剤の添加などによって流動抵抗を抑制することも可能である。
【００６０】
（実施の形態２）
図５は、本実施の形態２における化学蓄熱式ソーラーヒートポンプシステムの構成概略図及び蓄熱時の運転状態を表す図である。又、図６は、本実施の形態２における化学蓄熱式ソーラーヒートポンプシステムの放熱時の運転状態を表す図である。本実施の形態２の化学蓄熱式ソーラーヒートポンプシステムは、実施の形態１と基本的な構成は同じであるが、集熱部１０をバイパスするバイパス１９が備えられている点が異なる。そのため実施の形態１に対する相違点を中心に説明する。尚、実施の形態１と同一の構成要素については同一の符号を付している。
【００６１】
本実施の形態２の化学蓄熱式ソーラーヒートポンプシステムは、実施の形態１と異なり蓄熱時の熱媒体の流通方向は逆向きとなるが、蓄熱時の熱媒体の流通方向を基準として、蒸発器側流路１５の蒸発器４の下流側と、流路１１の集熱部１０と蓄熱材容器７の間を結ぶバイパス１９を備えている。このバイパス１９の流路１１との合流箇所にバルブ２６が、バイパス１９の蒸発器側流路１５との合流箇所にバルブ２７が設置されている。
【００６２】
又、本実施の形態２では、蓄熱時の熱媒体の流通方向を基準として、熱交換器６の上流側であって、バルブ１６の下流側の流路１１上のポンプ１４が設置されている。又、ヒートポンプサイクルの冷媒の流通方向を基準にして、蒸発器４と膨張弁３の間に熱交換器１８が更に設置されている。
【００６３】
又、実施の形態１の制御手段４０の代わりにバルブ１６、２６、２７、圧縮機１、膨張弁３、及びポンプ１４を制御する制御手段４１が設置されている。
【００６４】
尚、本発明の第１の三方弁の一例は、本実施の形態２ではバルブ１６に相当し、本発明の第２の三方弁の一例はバルブ２７に相当する。又、第６の本発明の熱媒体流路の一例は、流路１１、蒸発器側流路１５、及びバイパス１９に相当し、本発明の集熱手段バイパス流路の一例は、バイパス１９に相当する。
【００６５】
上記構成の本実施の形態２における化学蓄熱式ソーラーヒートポンプシステムの動作について以下に説明する。
【００６６】
（蓄熱時の動作）
始めに、蓄熱時の動作について図５を用いて説明する。
【００６７】
図５において、本実施の形態２における化学蓄熱式ソーラーヒートポンプシステムの蓄熱モードでの動作は、実施の形態１と同様であり、圧縮機１が作動すると蒸発器４で熱が汲み上げられ、圧縮機１によって昇圧され、昇温された冷媒は、凝縮器２で放熱する。
【００６８】
蓄熱材容器８内には、蓄熱材の一例としての水と水に対する吸着剤のペアが結合して設けられており、凝縮器２からの熱を受けて連結管１７を経由して水を蓄熱材容器７に輸送する。
【００６９】
ここで、ヒートポンプサイクルへの入熱は、熱交換器１８で大気からおこなわれるとともに、熱媒体が図５中の矢印方向へ流れ、蒸発器４で蓄熱材容器７を経由した熱媒体の熱を回収することによって行われる。
【００７０】
蓄熱状態では、制御手段４１によりバルブ１６は、蒸発器側流路１５方向が開かれており、バルブ２６、バルブ２７は全方向が開かれている。蓄熱状態では、熱媒体は上記制御により、集熱部１０、バルブ２６、熱交換器６、ポンプ１４、バルブ１６、蒸発器４、及びバルブ２７を順に通って集熱部１０へと循環する。一方、バルブ２７により分岐した熱媒体は、バイパス１９を通りバルブ２６を介して流路１１へと戻る。このため、蒸発器４に熱を供給して冷却された熱媒体はバイパス１９を経由して、再びバルブ２６で流路１１と合流し、熱交換器６で蓄熱材容器７で発生する凝縮熱を吸収するサイクルを行うこととなる。
【００７１】
この操作は必ずしもすべての熱媒体をバイパス１９に流通させる必要はなく、バルブ１６を制御することで一部蒸発器側流路１５を通さずに集熱部１０に戻すことも可能である。また、バルブ２７を制御することによって、蒸発器４で熱を伝熱した熱媒体を一部蒸発器側流路１５を経由して集熱部１０へ戻しても良い。
【００７２】
以上の操作を繰り返すことによって、蓄熱材容器８内の蓄熱材は脱水状態が進行し、蓄熱状態の蓄熱材容器７内に水が凝縮貯留することによって蓄熱状態となる。
【００７３】
（放熱時の動作）
次に、図６に基づいて、放熱時の動作について説明する。制御手段４１によって、バルブ１６及びバルブ２７が切り替えられ、ポンプ１４が動作される。ここで、バルブ１６は、蒸発器側流路１５方向が閉じられ、バルブ２７は、集熱部１０へと熱媒体が流通する方向が閉じられている。熱媒体の流通方向は、蓄熱時と同様であり、熱媒体は、集熱部１０、熱交換器６、及びポンプ１４を順に通って集熱部１０へと戻るように循環している。
【００７４】
放熱は実施の形態１と同様に、熱交換器６を介して熱媒体から蓄熱材容器７に熱が伝えられることにより、蓄熱材容器７から連結管１７を経由して、蓄熱材容器８に水が輸送される。そして蓄熱材容器８内の蓄熱材に水が吸着し、その吸着熱によって発熱が行われる。その際、被加熱流体流路１２が蓄熱材容器８内で蓄熱材と熱交換を行うように設けられているため、被加熱流体流路１２内を流通する水が熱交換され、加熱される。
【００７５】
（実施の形態３）
図７は、本実施の形態３における化学蓄熱式ソーラーヒートポンプシステムの構成概略図及び蓄熱時の運転状態を表す図である。又、図８は、本実施の形態３における化学蓄熱式ソーラーヒートポンプシステムの放熱時の運転状態を表す図である。本実施の形態３の化学蓄熱式ソーラーヒートポンプシステムは、基本的構成は実施の形態１と同じであるが、熱媒体流路の構成が異なる。そのため実施の形態１に対する相違点を中心に説明を行う。尚、実施の形態１と同一の構成要素については同一番号を付している。
【００７６】
以下、本実施の形態３の化学蓄熱式ソーラーヒートポンプシステムの構成について説明を行う。尚、蓄熱時の熱媒体の流通方向は、実施の形態２と同じであり、蓄熱時の熱媒体の流通方向を基準として説明を行う。
【００７７】
本実施の形態３の化学蓄熱式ソーラーヒートポンプシステムは、ヒートポンプサイクルの蒸発器４と膨張弁３の間に設置された熱交換器１８と、凝縮機２と膨張弁３の間に設置された熱交換器３０とを備えている。又、集熱部１０、熱交換器１８、及びポンプ１４を順に経由して再び集熱部１０へと熱媒体が循環する流路３１と、蒸発器４、熱交換器６、及び熱交換器３０を順に経由して再び蒸発器４へと熱媒体が循環する流路３２とを備えている。又、流路３２上の熱交換器３０と蒸発器４の間には、ポンプ２９が設置されている。
【００７８】
又、流路３１の集熱部１０と熱交換器１８の間と、流路３２の蒸発器４と熱交換器６の間で、放熱時に流路３１と流路３２を合流させるためのバルブ２８が設置されている。更に、流路３１の熱交換器１８とポンプ１４の間と、流路３２のポンプ２９と蒸発器４の間を繋ぐための流路３３が設置されており、この流路３３と流路３２の合流部には、バルブ３４が設置されている。このバルブ３４は、放熱時に流路３３を熱媒体が流通するように切り替えられる。又、バルブ３４、２８、圧縮機１、膨張弁３、及びポンプ１４、２９を制御するための制御手段４２が設置されている。
【００７９】
尚、本発明の第１の蒸発器の一例は、本実施の形態３では蒸発器４に相当し、本発明の第２の蒸発器は、熱交換器１８に相当する。又、第７の本発明の熱媒体流路の一例は、本実施の形態３では、流路３１、流路３２、及び流路３３に相当し、本発明の第１の流路の一例は流路３１に、本発明の第２の流路の一例は流路３２に、本発明の第３の流路の一例は流路３３に相当する。
【００８０】
又、本発明の四方弁の一例は、本発明のバルブ２８に相当し、第７の本発明の三方弁はバルブ３４に相当する。
【００８１】
上記構成の本実施の形態３の化学蓄熱式ソーラーヒートポンプシステムの動作について以下に説明する。
【００８２】
（蓄熱時の動作）
最初に、図７において、本実施の形態における化学蓄熱式ソーラーヒートポンプシステムの蓄熱モードでの動作について説明する。
【００８３】
蓄熱時には、バルブ２８とバルブ３４の切り替えによって、流路３１と流路３２は合流せず、各々の流路内で熱媒体が循環する流路構成となっている。
【００８４】
圧縮機１が作動すると蒸発器４で熱が汲み上げられ、圧縮機１によって昇圧され、昇温された冷媒は、凝縮器２で放熱する。
【００８５】
蓄熱材容器８内には、実施の形態１と同様に蓄熱材の一例としての水と水に対する吸着剤のペアが結合して設けられており、凝縮器２からの熱を受けて連結管１７を経由し、水は蓄熱材容器７に輸送される。
【００８６】
一方、蓄熱状態の蓄熱材容器７では水が凝縮され、貯蔵される。ここでの凝縮熱は、熱交換器６によって流路３２内をポンプ２９によって流通する熱媒体に受熱される。
【００８７】
ここで、ヒートポンプサイクルへの入熱は、流路３１を循環し、供給される熱媒体による太陽電池パネル９の冷却熱分を熱交換器１８に供給することで行われる。その後熱媒体は集熱部１０に移動する。また、バルブ３４、２８によってクローズされている流路３２内で蒸発器４に対して、蓄熱材容器７を経由した熱媒体の熱が供給されることによってもヒートポンプサイクルへの入熱は行われる。蒸発器４に熱を供給して冷却された熱媒体は流路３２を通り、再び熱交換器６で熱を吸収するサイクルを行う。以上の操作を繰り返すことによって、蓄熱材容器８内の蓄熱材は脱水状態が進行し、蓄熱状態の蓄熱材容器７内に水が凝縮貯留することによって蓄熱状態となる。
【００８８】
なお、図７に示す様に、本実施の形態３では、冷媒流路５内の冷媒温度が蓄熱材容器８の出口において比較的高い場合は、冷媒流路５における凝縮器２の下流側に流路３２との熱交換部３０を設け、熱媒体と熱交換することによって蒸発器４に入る冷媒の温度を低下させることが可能となっている。この凝縮熱を回収する部分は連結管１７を含んでいても構わない。又、冷媒温度が低い場合には熱交換部３０を設けなくてもよい。
【００８９】
また、蒸発器４と熱交換器１８の入熱を温度レベルに合わせて行うように流路構成をとり、流路３２をクローズした流路とすることで、集熱部１０における集熱分は熱交換器１８でそのまま利用する一方で、蓄熱材容器７には蒸発器４で生成した冷熱を熱媒体で伝達し、できるだけ温度下げることで蓄熱材容器８と蓄熱材容器７の圧力差をつけることにより、よりスムーズに蓄熱材容器８から水蒸気を蓄熱状態の蓄熱材容器７に輸送することが可能となる。
【００９０】
（放熱時の動作）
次に、図８に基づいて、放熱時の動作について説明する。制御手段４２によって、バルブ３４及びバルブ２８が切り替えられ、ポンプ１４及びポンプ２９が動作される。ここで、熱媒体の流通方向は蓄熱時と同様であり、熱媒体は、集熱部１０、バルブ２８、熱交換器６、熱交換器３０、ポンプ２９、バルブ３４、流路３３、ポンプ１４を順に経由し集熱部１０へと戻るように循環している。
【００９１】
放熱は実施の形態１、２と同様に、熱交換器６を介して熱媒体から蓄熱材容器７に熱が伝えられることにより、蓄熱材容器７から連結管１７を経由して、蓄熱材容器８に水が輸送される。そして、蓄熱材容器８内の蓄熱材に水が吸着し、その吸着熱によって発熱が行われる。その際、バルブ２８によって熱媒体は蓄熱状態の蓄熱材容器７を経由するように切り替えられている（バルブ２８によって流路３１と流路３２が交わる）。このような構成をとることによって必要熱量を集熱部１０から蓄熱材容器７に供給することが出来、実施の形態１、２と同様に熱出力を行うことが可能となる。
【００９２】
上記実施の形態１〜３で述べたように、吸脱着反応によりヒートポンプからの出力を蓄熱することにより、従来の貯湯タンクによる水の顕熱による蓄熱密度３１０ｋＪ／ｋｇ（７５℃昇温する場合）と比較して、７５０ｋＪ／ｋｇ（シリカゲル）と高い蓄熱密度を実現できることから、蓄熱部を小型化することが可能となる。
【００９３】
なお、本実施の形態１〜３では、吸着材としてシリカゲルを用いているが、ゼオライト等の無機多孔質材料、活性炭等の炭素系多孔質材料、あるいはポリアクリルアミド等の吸水性高分子材料を用いても良く、上記と同様の効果が得られる。また、吸着材から低温で水を脱離させるためには、活性炭、シリカゲル、ポリアクリルアミドが、特に有効である。
【００９４】
また、蓄熱に用いる本反応として、吸着材に対する水の吸着反応を用いているが、必ずしもこれに限定されるものではなく、反応物の重量、もしくは体積当たりの反応熱が大きい系を選択すれば良く、上記と同様の効果が得られるものである。また、その他の反応として、塩化カルシウム、塩化鉄、塩化マンガン等の無機塩類のアンモニア錯体からのアンモニアの脱離反応、発熱反応として、無機塩類のアンモニア化反応を利用しても良く、また、水の代わりに水素を、吸着剤の代わりにＬａ、Ｍｍ、Ｍｇ、Ｔｉ、Ｆｅ、Ｃａ、Ｖ等
から構成される水素吸蔵合金を利用することも可能である。
【００９５】
また、蓄熱反応において、蓄熱材から蓄熱状態の蓄熱材として気体の生成物が発生する場合、貯蔵スペースを小型化するため、液化凝縮させる、あるいは他の物質と化合物、または吸着体を形成させて蓄熱状態の蓄熱材を形成する必要があり、本実施の形態１〜３では、蓄熱材容器７に水を貯蔵する際に、吸着材に吸着をさせて貯蔵している。この吸着時に発生する熱は、熱交換器６を介して熱媒体に伝熱され、蒸発器４でヒートポンプサイクルへの入熱に利用されている。このように蓄熱状態の蓄熱材を形成する際に発生する反応熱を回収し利用することが可能となる。
【００９６】
また、本実施の形態１〜３では、熱媒体としてパラフィンを内包したマイクロカプセルを水に分散させた熱媒体を用いている。この相変化温度約３０℃のパラフィンを用いた場合、太陽電池パネル９が日射を受け、例えば通常夏季で５０℃以上に昇温される場合でも、潜熱材料の相変化による冷却で約３０℃程度に温度上昇が抑制されて、発電効率は非冷却の場合に対して１０％以上上昇させることが可能である。
【００９７】
なお、パラフィンは潜熱材料の一例であり、マイクロカプセルを水に分散させたものは、潜熱材料を含む流体の一例であり、条件に応じてその他の蓄熱材を内包させたマイクロカプセルや、潜熱材料をそのままスラリー化したものなどを用いることが可能である。
【００９８】
また、従来は集熱器で集めた熱を不凍液等の作動流体を用いて熱搬送する顕熱熱搬送形態をとっていたために、作動流体の流路に沿って上流側から下流側にかけて、太陽電池パネルの温度分布が生じていた。温度が異なる太陽電池パネルを並列に接続すると、最大電力が大きく内部インピーダンスが小さいパネルに近い発電電圧となり、最大電力が小さいパネルからは最大電力よりも小さい電力しか取り出せず、システム全体の発電効率が低下していた。しかし、上記のように潜熱熱搬送形態を用いることにより、太陽電池パネルの冷却温度を相変化温度付近で均一にすることができ、不均一冷却による太陽電池発電効率の損失の抑制に寄与することができる。
【００９９】
また、太陽電池の冷却温度を均一に行うことを可能とするとともに、蓄熱作用によって、蓄熱材容器７の熱源として夕刻から夜間にかけての利用時間帯も利用することが可能となる。更に、深夜電力などの電力が安価な時間帯にその熱源をヒートポンプの汲み上げ熱源として利用することで経済的かつ高効率に冷媒を高温まで昇温し、蓄熱材を蓄熱状態の蓄熱材に変換することが可能となる。
【０１００】
また、本実施の形態１〜３では化学蓄熱方式を利用した場合の放熱の際に、日中の太陽電池の発電効率向上を目的として冷却するために利用した熱量を蓄熱状態の蓄熱材の吸熱反応に利用している。このことによって、従来の化学蓄熱方式をそのまま用いた場合に比べ、蓄熱材容器７は水などの蓄熱状態の蓄熱材が蓄熱材容器８に気化移動する際の吸熱を大気からの熱によって賄う必要がないため、蓄熱材容器７に大型の別の大気熱交換器を設ける必要がなく、液体同士の熱交換器６で済む。そのため、蓄熱状態の蓄熱材容器７を小型化することが可能である。又、液体同士の熱交換であるため、熱供給による蓄熱状態の蓄熱材の気化に伴う吸熱反応をより速やかに行うことが可能となり、蓄熱材容器８への輸送速度も大きくなる。
【０１０１】
例えば、一定の熱交換能力について大気熱交換器に対して、液同士の熱交換器にすると約１／１０程度で済む。この容積は、蓄熱材容器８、蓄熱材容器７、および蓄熱状態の蓄熱材容器７の熱吸収を大気熱交換器で行った場合の合計に対して、約１／４程度の小型化をすることが可能になる。
【０１０２】
また、太陽電池パネル９からの集熱によって得られた温度で加熱することが可能であるため、特に大気温度が低い場合などには温度レベルを高くすることによる気化促進効果を発揮することができる。
【０１０３】
なお、熱媒体流路を流通する熱媒体の流通量は、その時の大気温度等をモニターし、その温度レベルに応じた熱供給量から制御することができる。また、必要熱量に応じて循環動力（ポンプ１４、２９）を調整することが可能である。
【０１０４】
また、熱媒体に潜熱蓄熱材を内包したマイクロカプセルなどの蓄熱流体を利用することにより、通常の水などの顕熱媒体に比べて、早朝時にも蓄熱効果を発揮できる。
【０１０５】
また、日中の出湯時には、集熱部１０で熱媒体に貯蔵された熱は循環され、蓄熱材容器７でそのまま利用できるため、集熱部１０に貯留する熱媒体は太陽電池パネル９の冷却に必要な蓄熱量以下でもよく、熱媒体量を減少させることも可能である。
【０１０６】
以上の構成によって太陽電池パネル９を冷却して得られる集熱量を利用して、コンパクトな蓄熱装置を形成することが可能となるとともに、従来の化学蓄熱方式の課題をも解消することが可能となる。更に太陽電池を冷却することによる太陽電池の発電効率を向上、および、潜熱材料を含む流体の使用によって安価な電力となる時間帯でヒートポンプを作動させて蓄熱することにより、経済的でコンパクトなソーラーヒートポンプシステムを提供することが可能となる。
【０１０７】
尚、本発明のプログラムは、上述した本発明の化学蓄熱式ソーラーヒートポンプシステムの制御手段の機能をコンピュータにより実行させるためのプログラムであって、コンピュータと協働して動作するプログラムである。
【０１０８】
又、本発明の記録媒体は、上述した本発明の化学蓄熱式ソーラーヒートポンプシステムの制御手段の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０１０９】
又、本発明の上記「手段の機能」とは、前記手段の全部又は一部の機能を意味する。
【０１１０】
又、本発明のプログラムの一利用形態は、コンピュータにより読み取り可能な記録媒体に記録され、コンピュータと協働して動作する態様であっても良い。
【０１１１】
又、本発明のプログラムの一利用形態は、伝送媒体中を伝送し、コンピュータにより読みとられ、コンピュータと協働して動作する態様であっても良い。
又、記録媒体としては、ＲＯＭ等が含まれ、伝送媒体としては、インターネット等の伝送媒体、光・電波・音波等が含まれる。
【０１１２】
又、上述した本発明のコンピュータは、ＣＰＵ等の純然たるハードウェアに限らず、ファームウェアや、ＯＳ、更に周辺機器を含むものであっても良い。
【０１１３】
尚、以上説明した様に、本発明の構成は、ソフトウェア的に実現しても良いし、ハードウェア的に実現しても良い。
【産業上の利用可能性】
【０１１４】
本発明の化学蓄熱式ソーラーヒートポンプシステムは、設置スペースがより小さく、又は設置部の耐荷重がより小さくても設置、施工の可能な効果を有し、省エネでかつ経済的なソーラーヒートポンプシステム等として有用であり、又工業用加熱装置等の用途にも応用可能である。
【図面の簡単な説明】
【０１１５】
【図１】本発明の実施の形態１における化学蓄熱式ソーラーヒートポンプシステムの構成と蓄熱時における運転状態を表す図
【図２】本発明の実施の形態１における化学蓄熱式ソーラーヒートポンプシステムの構成と放熱時における運転状態を表す図
【図３】本発明の実施の形態１における化学蓄熱式ソーラーヒートポンプシステムの変形例の構成と放熱時における運転状態を表す図
【図４】本発明の実施の形態１における化学蓄熱式ソーラーヒートポンプシステムの変形例の構成とヒートポンプ運転終了後の蓄熱モードにおける運転状態を表す図
【図５】本発明の実施の形態２における化学蓄熱式ソーラーヒートポンプシステムの構成と蓄熱時における運転状態を表す図
【図６】本発明の実施の形態２における化学蓄熱式ソーラーヒートポンプシステムの構成と放熱時における運転状態を表す図
【図７】本発明の実施の形態３における化学蓄熱式ソーラーヒートポンプシステムの構成と蓄熱時における運転状態を表す図
【図８】本発明の実施の形態３における化学蓄熱式ソーラーヒートポンプシステムの構成と放熱時における運転状態を表す図
【図９】一般的な化学蓄熱方式の作動原理の模式図
【符号の説明】
【０１１６】
１  圧縮機
２  凝縮器
３  膨張弁
４  蒸発器
５  冷媒流路
６  熱交換器
７  蓄熱材容器
８  蓄熱材容器
９  太陽電池パネル
１０  集熱部
１１  流路
１２  被加熱流体流路
１３  熱出力口
１４  ポンプ
１５  蒸発器側流路
１６  バルブ
１７  連結管
【図１】
2006046859.tif 000003
【図２】
2006046859.tif 000004
【図３】
2006046859.tif 000005
【図４】
2006046859.tif 000006
【図５】
2006046859.tif 000007
【図６】
2006046859.tif 000008
【図７】
2006046859.tif 000009
【図８】
2006046859.tif 000010
【図９】
2006046859.tif 000011